(57)【要約】      （修正有）【課題】ボトル缶への脱着が容易に行え、複数のボトル缶を安定的に保持できると共に、販売促進用の景品等が収納された収納袋の取り付けも容易に行えるボトル缶の保持具を提供する。【解決手段】基部２と２つ（一対）のアーム部３が一体成形により形成されており、ボトル缶はそのネック部がアーム部３により挟み込まれる状態で把持されると共に、アーム部３の上端８とボトル缶のキャップの下端とが係合することで、安定的かつ確実に保持される。また、基部２上には景品等を収納し得る収納体を取り付けられる突起部１１と、該突起部が挿通可能な孔部１２を設けた係止片１３とが形成されている。【選択図】図２
0003192692.tif 000002
【実用新案登録請求の範囲】
【請求項１】
基部及び該基部と一体成形により形成される複数のアーム部とからなるボトル缶の保持具であり、アーム部はその内径がボトル缶のネック部外周より小径の円弧状を成すと共に、ボトル缶のネック部の挿入が容易になるよう、端部が外側方向に反り返った開口部を有しており、該アーム部がボトル缶のネック部を挟み込んだ際に、内側方向に働くアーム部の付勢力と共に、アーム部上端とボトル缶のキャップ下端との係合により、ボトル缶を保持することを特徴とするボトル缶の保持具。
【請求項２】
前記基部と一体成形により形成される前記複数のアーム部の内径は、下方から上方に向けて徐々に狭まっていることを特徴とする請求項１に記載のボトル缶の保持具。
【請求項３】
前記基部にはこれと一体成形により形成される突起部及び該突起部と係合する孔部を有する係止片とが設けられており、前記突起部を挿通し得る孔部を持つ収納体が脱着可能に取り付けられるようになっていることを特徴とする請求項１又は請求項２に記載のボトル缶の保持具。
【考案の詳細な説明】
【技術分野】
【０００１】
本考案は、主として飲料用のボトル缶を複数保持することができ、また、販売促進用のグッズを収納する収納体を装着できるボトル缶の保持具に関する。
【背景技術】
【０００２】
従来、飲料を提供する容器としてはプルタブ式の円柱状の飲料缶が殆どであったが、昨今、キャップを有するボトル缶が利用されることが多くなってきた。プルタブ式の円柱状の飲料缶については、その複数個を持ち運んだり、陳列するための保持具や連結具が様々開発されているが、キャップを有するボトル缶については十分に開発されていないのが実情である。
【０００３】
本考案と同様、アーム状のボトル保持部を採用した先行技術として特許第４０９０７５７号の公報に記載されるボトル保持具が存在するが、本考案のアーム部に相当する腕部が挟み込むのはキャップであり、腕部の内面がキャップ外周を挟むといっても重力に耐え得るほどの保持力は期待できず、ボトル缶の保持は唯一、該腕部の下側に設けられた凸部とキャップ下側との係合にのみ依存する技術内容であるため、持ち運ぶ際や陳列する際のちょっとしたショックによりボトルが傾くことで凸部とキャップ下側の係合が解かれてしまい、ボトル缶が外れて落下し易くなるという問題点があった。また、腕部をキャップに挟み込む際も前記凸部が間違いなくキャップ下側と係合するかどうかを確認しながら行わねばならない煩わしさがあり、万が一、凸部の1つでもキャップ下側と係合しない状態で装着されていれば、ボトルの僅かな傾きで容易に係合が解かれてしまう虞があるため、装着は時間を掛けて注意深く慎重に行わねばならずなかった。
【０００４】
また、複数のボトル缶を連結する先行技術として特開２０１３−２２７０４２の公報に記載のボトル連結具があるが、これは使用済みの複数のボトルを再利用するため、キャップを外した部分にキャップと同様に捩じ込まれる外部固定具を装着し、その複数個をジョイントで連結することでテーブルの脚部や台座として機能させようとするものであり、飲料が詰まった未使用のボトル缶を複数保持する本考案とは、技術思想はもとより課題解決の手段も全くまったく相違してなるものである。
【先行技術文献】
【特許文献】
【０００５】
【特許文献１】特許第４０９０７５７号公報
【特許文献２】特開２０１３−２２７０４２号公報
【考案の概要】
【考案が解決しようとする課題】
【０００６】
これまでに実施されている飲料用などのボトル缶の保持具は、本考案と似通ったアームを用いるものであっても、アームによって挟み込まれるのがキャップの側面であるため、その下側の凸部がない状態では到底、重力に抗うボトル缶の保持力は期待できず、また、装着には細心の注意を支払いながら行わねばならない煩わしさがあった。そのため、本考案が課題とするところは、装着が容易に行え、装着された際も十分な保持力が得られ、安心して複数のボトル缶を持ち運ぶことや、陳列することができるボトル缶の保持具を提供することにある。また、複数のボトル缶が同時に販売できることは飲料メーカーの利益に資する訳であるから、その販売促進用に複数個の購入者に対してグッズ等の景品を提供できるようにすることも、本考案が解決すべき課題の１つである。
【課題を解決するための手段】
【０００７】
本考案は、如上の課題を解決するため、基部及び該基部と一体成形により形成される複数のアーム部とからなるボトル缶の保持具であり、アーム部はその内径がボトル缶のネック部外周より小径の円弧状を成すと共に、ボトル缶のネック部の挿入が容易になるよう、端部が外側方向に反り返った開口部を有しており、該アーム部がボトル缶のネック部を挟み込んだ際に、内側方向に働くアーム部の付勢力と共に、アーム部上端とボトル缶のキャップ下端との係合により、ボトル缶を保持するボトル缶の保持具（請求項１）を提案する。
【０００８】
本考案ではまた、如上の課題を解決するため、請求項１に記載の考案であって、前記基部と一体成形により形成される前記複数のアーム部の内径は、下方から上方に向けて徐々に狭まっているボトル缶の保持具（請求項２）も提案する。
【０００９】
本考案は更に、如上の課題を解決するため、請求項１又は請求項２に記載の考案であって、前記基部にはこれと一体成形により形成される突起部及び該突起部と係合する孔部を有する係止片とが設けられており、前記突起部を挿通し得る孔部を持つ収納体が脱着可能に取り付けられるようになっているボトル缶の保持具（請求項３）も提案するものである。
【考案の効果】
【００１０】
請求項１に係る本考案では、複数のアーム部は基部と一体成形により形成されているため、強度があり、複数本のボトル缶を保持させてもアーム部が外れてしまうことがない。また、アーム部の内径はボトル缶のネック部外周の径より小径であり、その内側方向に働く付勢力により、アーム部がボトル缶のネック部を連続する広範囲に及んで締め付けるため、それだけでも十分な保持力を得ることができる。加えて、アーム部上端とボトルのキャップ下端が径の差によってしっかりと係合するため、前記保持力はより確実なものとなり、安定的に複数のボトル缶を保持することができる。
【００１１】
また、複数のアーム部の内径を下方から上方に向けて徐々に狭めた構成とすることで、アーム部上方によるボトル缶のネック部上方の締め付けがより確実に行われるため、夏場などで樹脂が温められて幾分アーム部の付勢力が落ちた場合でも、アーム部上端とボトル缶のキャップ下端との係合が解除されることなく、しっかりと保持することができる。
【００１２】
加えて、基部にはこれと一体成形で形成された突起部及び該突起部と係合する孔部を有する係止片とが設けてあるため、その突起部を挿通し得る孔部を持つ収納体をこの部分に取り付けることが可能である。そのため、飲料等の複数商品の販売促進のため、前記収納体に景品等を収納して購入者に提供することができる。また、その脱着は突起部と係止片の係合を解くことで容易に行えるため、メーカー側の取り付けも、購買者側の取り外しも煩わしさがない。
【図面の簡単な説明】
【００１３】
【図１】ボトル缶を保持し、景品等を収納する収納体を取り付けた状態の本考案の実施形態を示す斜視図である。
【図２】本考案の実施形態を示す斜視図である。
【図３】本考案の実施形態を示す底面斜視図である。
【図４】本考案の実施形態を示す斜視図である。
【考案を実施するための最良の形態】
【００１４】
以下、本考案の望ましい実施形態を、図面に基づいて説明する。
【実施例１】
【００１５】
図１はボトル缶を保持し、景品等を収納する収納体を取り付けた状態の本考案に係るボトル缶の保持具の実施形態を示す斜視図であり、図２は本考案の実施形態を示す斜視図、図３は本考案の実施形態を示す底面斜視図、図４は本考案の実施形態を示す斜視図である。１は保持具本体、２は基部、３はアーム部、４はボトル缶、５はネック部、６及び６’はアーム部の端部、７は開口部、８はアーム部上端、９はボトル缶のキャップ、１０はキャップ下端、１１は突起部、１２は孔部、１３は係止片、１４はアーム部の内径、１５は収納体、１６は景品等である。
【００１６】
この実施例では、図１及び図２に示すように、本考案に係る保持具本体１は射出成型などにより基部２とアーム部３が一体成形されており、基部２を介して一対のアーム部３が形成されており、ボトル缶４は前記アーム部３がそのネック部５を挟み込んだ状態で保持されることになる。
【００１７】
アーム部３は、その内径が保持の対象となるボトル缶４のネック部５の外周より小径の円弧状を成しており、その端部６及び６’が外側方向に向けて反り返った形状で形成されることで、端部６及び６’間にボトル缶４のネック部５の挿入を容易にする開口部７が形成される。なお、アーム部３の長さについては特定しないが、強い保持力を得るためには、アーム部３がボトル缶４のネック部５を挟み込んだ状態で、ネック部５の外周の７０％以上を把持できる長さを有することが望ましいとの結果が、実験により得られている。
【００１８】
かくして、ボトル缶４のネック部５が開口部７からアーム部３内に挿入され、図１に示すように、アーム部３がボトル缶４のネック部５を挟み込んだ状態になると、アーム部３の内径がボトル缶４のネック部５の外周より小径であることで、アーム部３の内側に戻ろうとする付勢力によりボトル缶４がしっかり把持されると共に、アーム部３の上端８とボトル缶４のキャップ９の下端１０とが係合することで、ボトル缶４が落下することなくアーム部３にしっかり保持されることになる。
【００１９】
このように、本考案に係るボトル缶の保持具では、アーム部３の内周とボトル缶４のネック部５の外周とが広い範囲で面密着するため、アーム部３がボトル缶４のネック部３を挟み込んだだけで、アーム部３の内側方向に働く付勢力によって強い把持力が得られ、ボトル缶４をしっかり把持することができる。加えて、アーム部３がネック部５を挟み込んだ状態になると、径の差により、自ずとアーム部３の上端８とボトル缶４のキャップ９の下端１０とが係合するため、ボトル缶４の係止が確実に行え、アーム部３から外れて落下することなくボトル缶４はしっかり保持されることになる。そうして、これら効果はボトル缶４のネック部５を開口部７からアーム部３に挿入するだけで得られるため、販売促進用の商品を準備する現場の煩わしさを著しく軽減することができる。
【実施例２】
【００２０】
本考案に係るボトル缶の保持具の別の実施例としては、図３に示すように、実施例１の保持具１であって、アーム部３の内径１４を下方から上方に向けて徐々に狭めた形状で形成した形態が挙げられる。
【００２１】
本考案に係るボトル缶の保持具は、アーム部３が肉厚の硬質樹脂で形成されるため、上の実施例でもボトル缶４の保持には十分な強度を有しているが、夏場になり気温が高くなると一般論として、樹脂が温められて強度が落ちることが予想される。本考案では前記したように、アーム部３の内径１４を下方から上方に向けて徐々に狭め、アーム部３によるボトル缶４のネック部５の把持がより強固に行えるようにしたことで、そのような場面でも複数のボトル缶を安定的に保持することができる。もちろん、この構成は夏場でなくとも採用し得る形態であり、そのように形成することで通常時もボトル缶４の保持がより確実に行えるメリットがある。
【実施例３】
【００２２】
本考案に係るボトル缶の保持具の別の実施例としては、図１、図２及び図４に示すように、実施例１及び実施例２の保持具１であって、基部２にこれとの一体成形になる突起部１１、及び、これと係合する孔部１２を有する係止片１３を形成した形態が挙げられる。
【００２３】
本考案に係るボトル缶の保持具は、複数のボトル缶を保持し得るようにしたものであるが、そのような販売形態は同時に複数の商品を販売できるため、メーカーにとってメリットがある。そのため、そのような販売を促進することを目的として、購入者に景品等を提供することがしばしば行われる。この実施例はまさにそのような場面に資するための形態であり、基部２に設けられた突起部１１に、これを挿通し得る孔部を持つ景品等１６が収納された収納体１５を取り付け、更に、係止片１３の孔部１２とで係合することで、図１に示すように、複数のボトル缶４と景品等１６を収納した収納体１５を共に購入者に提供することが可能になる。
【００２４】
また、基部２への収納体１５の取り付けも前記したように、突起部１１と係止片１３との係合により簡単に行うことができるため、販売促進用の商品を準備する現場でも短時間の内に大量にセットすることが可能である。
【００２５】
このように、本考案に係るボトル缶の保持具は、複数のボトル缶を確実に保持し、且つ、その販売促進用の景品等を付加できるタイプの保持具としては、傑出した効果を奏してなるものである。
【産業上の利用可能性】
【００２６】
本考案に係るボトル缶の保持具は、アーム部の内径に適合する径のネック部を持つボトル缶であれば、内容物の如何に関わりなく利用することが可能である。そのため、内容物が飲料であるボトル缶はもとより、化粧品やオイルなどを内容物とするボトル缶を提供する分野でも利用することが可能である。
【符号の説明】
【００２７】
１    保持具本体
２    基部
３    アーム部
４    ボトル缶
５    ボトル缶のネック部
６    アーム部の端部
６’  アーム部の端部
７    開口部
８    アーム部上端
９    ボトル缶のキャップ
１０    キャップ下端
１１    突起部
１２    孔部
１３    係止片
１４    アーム部の内径
１５    収納体
１６    景品等
【図１】
0003192692.tif 000003
【図２】
0003192692.tif 000004
【図３】
0003192692.tif 000005
【図４】
0003192692.tif 000006